(57)【要約】【課題】クリップに装着体を取り付ける際、クリップ及び装飾体の変形を最小限に押さえ、装飾体が装着し易すく、且つ、外れ難い筆記具を提供すること。【解決手段】軸筒４が被狭持物を狭持するためのクリップ１０を備え、クリップ１０が、軸筒４の後部から前部へ向って延びるように形成されたクリップ本体１０ａと、クリップ本体１０ａの前部に、軸筒４の外周面に向って突出する突起部１０ｇと、を有し、クリップ本体１０ａに表示部１２ｇを有する装飾体１２を装着し、突起部１０ｇの側面に、突起状の係止部１０ｈを備え、装飾体１２が、後端部に開口部１２ａを備えた装着部１２ｂと、装着部１２ｂの軸筒外周面側にスリット部１２ｄと、スリット部１２ｄの側面にクリップ１０の係止部１０ｈと係止する被係止部１２ｅ、を備え、スリット部１２ｄの最小幅部が、突起部１０ｇの横幅より大きくなるよう形成する。【選択図】図６
2019147292.tif 000002
【特許請求の範囲】
【請求項１】
軸筒に被狭持物を狭持するためのクリップを備え、前記クリップが、前記軸筒の後部から前部へ向って延びるように形成された舌片状のクリップ本体と、当該クリップ本体の前部に、前記軸筒の外周面に向って突出する突起部と、を有し、前記クリップ本体に表示部を有する装飾体を装着した筆記具であって、
前記クリップの突起部の側面に、突起状の係止部を備え、
前記装飾体が、後端部に開口部を備えた装着部と、前記装着部の軸筒外周面側に当該装着部の後端から前方へ向って延びるように形成されたスリット部と、当該スリット部の側面に前記クリップの係止部と係止する被係止部と、を備え、
前記スリット部の最小幅部を、前記突起部の横幅より大きくなるよう形成し、前記スリットが前記装飾体を装着する際に位置合わせ用のガイドとなることを特徴とした筆記具。
【請求項２】
前記突起状の係止部が、前端から後端にかけて突出量が増加するよう傾斜させて形成したことを特徴とする請求項１に記載の筆記具。
【請求項３】
前記スリット部のスリット幅は、後端が一番広く、前記被係止部に向って狭くなるよう構成したことを特徴とする請求項１または２に記載の筆記具。
【請求項４】
前記装飾体をクリップ本体に装着する際に必要になる押込力を５０Ｎ以下とすると共に、取り外すのに必要な引抜力を前記押込力より大きくしたことを特徴とする請求項１ないし３の何れか１項に記載の筆記具。
【発明の詳細な説明】
【技術分野】
【０００１】
本発明は、軸筒外周部に設けたクリップに装飾体を装着可能に構成した筆記具に関するものである。
【背景技術】
【０００２】
従来から、この種の筆記具として、軸筒外周面に設けたクリップに装飾体を装着する構造は良く知られており、例えば、特許文献１には、クリップ本体の前端を合成樹脂で形成された装飾体に差し込むことで、装飾体をクリップ本体に装着する構造が開示されている。
【０００３】
この特許文献１の装飾体の取り付け構造によれば、クリップ本体の前端が、合成樹脂で形成された装飾体の裏面に形成された袋状の固定部に差し込まれ、固定部のスリットに形成した一対の係止突起がクリップ本体の玉部（抜け止め突起）に係止することで装飾体をクリップ本体に固定することができる。
【先行技術文献】
【特許文献】
【０００４】
【特許文献１】特開２００２−０５２８９３号公報
【発明の開示】
【発明が解決しようとする課題】
【０００５】
しかしながら、特許文献１の構造では、クリップ本体の玉部（抜け止め突起）を利用して係止する構造になっており、クリップ本体の玉部（抜け止め突起）は、本来、クリップで被狭持物を挟んで狭持することを目的としたものであるため、差し込み易く、且つ、引き抜き易くなるよう半円状などの曲率面で形成されることが多い。 このため、装飾体をクリップ本体に対して抜き差しする動作は容易となるが、反面、装着した装飾体がクリップ本体から外れ易くなる虞があった。
また、クリップ本体の玉部（抜け止め突起）に装飾体の係止突起を係止する際、一対の係止突起の間を広げつつ装着する構造であるため、装飾体をクリップに対して真っ直ぐに装着することが難しく、取り付け時に傾くことでクリップや装飾体に負荷がかかり、破損する虞があった。
【０００６】
本発明は、前記問題を鑑みてなされたものであって、クリップに装着体を取り付ける際、クリップ及び装飾体の変形を最小限に抑え、装飾体が装着し易く、且つ、外れ難い筆記具を提供することを目的とした。
【課題を解決するための手段】
【０００７】
本発明は、
「１．軸筒に被狭持物を狭持するためのクリップを備え、前記クリップが、前記軸筒の後部から前部へ向って延びるように形成された舌片状のクリップ本体と、当該クリップ本体の前部に、前記軸筒の外周面に向って突出する突起部と、を有し、前記クリップ本体に表示部を有する装飾体を装着した筆記具であって、
前記クリップの突起部の側面に、突起状の係止部を備え、
前記装飾体が、後端部に開口部を備えた装着部と、前記装着部の軸筒外周面側に当該装着部の後端から前方へ向って延びるように形成されたスリット部と、当該スリット部の側面に前記クリップの係止部と係止する被係止部と、を備え、
前記スリット部の最小幅部を、前記突起部の横幅より大きくなるよう形成し、前記スリットが前記装飾体を装着する際に位置合わせ用のガイドとなることを特徴とした筆記具。
２．前記突起状の係止部が、前端から後端にかけて突出量が増加するよう傾斜させて形成したことを特徴とする前記１項に記載の筆記具。
３．前記スリット部のスリット幅は、後端が一番広く、前記被係止部に向って狭くなるよう構成したことを特徴とする前記１項または２項に記載の筆記具。
４．前記装飾体を前記クリップ本体に装着する際に必要になる押込力を５０Ｎ以下とすると共に、取り外すのに必要な引抜力を前記押込力より大きくしたことを特徴とする前記１項ないし３項の何れか１項に記載の筆記具。」である。
【０００８】
本発明の筆記具は、クリップの突起部の側面に形成した係止部と、装飾体の被係止部とを係止することでクリップに装飾体を装着することができる。
また、装飾体のスリット部の最小幅部を突起部の横幅より大きくなるよう形成し、装飾体をクリップ本体に装着する際に、最小幅部が位置合わせ用のガイドとなるよう構成することで、装飾体をクリップ本体にガイドに沿って真っ直ぐに挿入できる。このため、装飾体の装着時に、装飾体の被係止部及びクリップ本体の係止部に負荷が掛かることで破損してしまうことを防止できる。
【０００９】
尚、クリップの係止部と装飾体の被係止部とを係止する際、係止部及び被係止部が装着時の負荷で変形したり、傷ついたりすると、装着後に装飾体がクリップから外れやすくなることから、係止部が被係止部を乗り越える際に負荷が掛かる時間が短くなるよう、係止部及び被係止部の突出量（高さ）、長さ、幅等を調整することが好ましい。また、係止部は、クリップの突起部の両側面に形成してもよく、片側面のみに形成してもよいが、片側面のみに係止部があると、装飾体を装着する際に、当該装飾体が傾くことでクリップ自体に負荷が掛かったり挿入し難くなるため、両側面に均等に形成することが好ましい。
【００１０】
また、係止部は、前端から後端にかけて突出量が増加するよう傾斜させた状態で形成することが好ましく、この場合、装飾体の被係止部が係止部と係止する際に、被係止部が係止部を乗り越え易くなると共に、係止後は抜け難くなる効果を奏する。
【００１１】
更に、スリット部のスリット幅は、後端が一番広く、被係止部に向って狭くなるよう構成してもよく、この場合、スリット部が後端から被係止部に向って徐々に狭くなることで、スリット部へクリップの突起部を挿入し易くなると共に、突起部が、スリット部によりセンタリングされ正しい取り付け位置に自然に誘導されることから、装着時に装飾体が取り付け方向に対して傾くことを防止でき、より装着し易くすることができる。
【００１２】
また、本発明の筆記具は、装飾体を着脱可能に装着する構成でもよいが、装飾体には、企業名や広告などを記載する場合もあり、不用意に外れないことが好ましい。
具体的には、クリップ本体の係止部に対して装飾体の被係止部を押し込み、係止するための押込力は、クリップに負荷が掛からずに装着できるよう、５０Ｎ以下とすることが好ましく、３５Ｎ以下がより好ましい。また、クリップ本体に対して装飾体を引き抜く際に必要な引抜力は、装飾体を装着した状態で筆記具をしても簡単には外れないよう、押込力より大きくすることが好ましく、具体的には３５Ｎより大きくすることが好ましい。
尚、前記押込力及び引抜力は、プッシュプルゲージを用いることで計測することができる。
【００１３】
また、装飾体の形状は特に限定されるものではないが、略円形、多角形、星形等、適宜選択して用いることができる。特に略円形の場合にはクリップに装着するために真っ直ぐに押し込むことが滑りやすく困難になることから、本発明の効果は顕著となる。
【発明の効果】
【００１４】
本発明により、クリップに装着体を取り付ける際、クリップ及び装飾体の変形を最小限に押さえ、装飾体が装着し易すく、且つ、外れ難い筆記具を提供することができた。
【図面の簡単な説明】
【００１５】
【図１】実施例１の筆記具の外観図である。
【図２】図１のＡ−Ａ断面を示した断面図である。
【図３】図２のＢ−Ｂ断面を示した拡大断面図である。
【図４】クリップの外観図である。
【図５】クリップ本体に装飾体を装着する状況を説明するため、裏面側から視た外観図である。
【図６】クリップ本体に装飾体を装着した状態をクリップ本体の裏面側から視た外観図である。
【図７】図６のＣ−Ｃ断面を示した断面図である。
【００１６】
次に図面を参照しながら、本発明の筆記具をスライド式の多芯筆記具を用いて説明するが、本発明は以下の実施形態に限定されるものではない。
また、本実施例では、軸筒の長手方向において、ボールペンチップがある方を前方と表現し、その反対側を後方と表現する。更に、軸筒の軸径方向において、ボールペンレフィルがある方を内方と表現し、その反対側を外方と表現する。
尚、説明を分かりやすくするために、図面中の同様の部材、同様の部分については同じ符号を付してある。
【００１７】
実施例１
図１〜図７に示す筆記具１は、前軸２の雄螺子部２ａと、後軸３の雌螺子部３ａと、を螺合により着脱自在に取り付けた軸筒４内に、複数本（３本）の筆記体５が前後方向に移動可能に収容されている。また、筆記体５の後部には、当該筆記体５をスライドさせるための操作部となり、筆記体５のインキ収容筒６に収容した筆記具用油性インキと同色の摺動体８を配設してあり、各々の筆記体５は、コイルスプリング９により後方に弾発してある。そして、軸筒４の後部には、クリップ本体１０ａと尾冠１０ｂを備えたクリップ１０が装着され、３本の筆記体５を軸筒４内に配設した従来公知のスライド式の出没機構を備えた筆記具１を形成してある。
尚、クリップ１０のクリップ本体１０ａには、略円形の表示部１２ｈを供えた装飾体１２を装着してある。
【００１８】
筆記体５について詳述すると、図２及び図３に示すように、インキ収容筒６の先端部に、φ０．７ｍｍのボールを回転自在に抱持したボールペンチップ７からなる筆記部を装着してある。また、３本の筆記体５のインキ収容筒６の内部には、各々異なる筆記具用の油性インキを収容してある。
【００１９】
前軸２は、筒状に形成してあり、前部にはボールペンチップ７が出没可能な前部開口部２ｂを形成してある。また、前軸２の外周面には２色成形によって、常温でゴム弾性を有する熱可塑性エラストマーを用いてグリップ部２ｃを形成してある。そして、グリップ部２ｃの表面には網目状の溝部２ｄが形成され、グリップ部２ｃを手で把持した際に、溝部２ｄにより滑り難くなるよう構成してある。
【００２０】
後軸３の後部には、前後方向に延び細長状に形成された３本の摺動溝３ｂを形成してあり、互いに、１２０度間隔に形成すると共に、摺動溝３ｂの後方は開口した状態で形成してある。また、後軸３の後端部は略円筒状に形成してあり、後軸３の外面には予めフィルム転写を施してある。
【００２１】
後軸３の内部には、略円筒状の基部１１ａを備えたスプリング支持部１１を固着してある。このスプリング支持部１１の基部１１ａには、３本の筆記体５が挿通される内孔が軸方向に３箇所貫設され、スプリング支持部１１の基部１１ａと、各々の摺動体８と、の間には、コイルプリング９が配設され、各々の筆記体５及び摺動体８を後方へ弾発してある。
【００２２】
また、後軸３の後部には、軸方向（長手方向）に沿って延びる凹状の装着溝３ｄを形成してある。この装着溝３ｄは、図３に示すように、横断面形状が軸心方向に一つの頂部を備えた略３角形状で形成してある。更に、後軸３の後部には後方へ向って突出する円柱状の突起部３ｆが形成してあり、突起部３ｆの後部には、軸周方向に沿って延び、外方へ向って突出する掛止部３ｅを形成してある。
【００２３】
クリップ１０は、図２から図４に示すように、円筒状に形成された尾冠１０ｂと、尾冠１０ｂの前端から前方へ延びるように形成されたクリップ台１０ｃと、クリップ台１０ｃの外方側に、当該クリップ台１０ｃに連設され、且つ軸方向に延びる舌片状に形成されたクリップ本体１０ａと、により構成されている。
【００２４】
尾冠１０ｂには、内部に後端部から前方へ延びるように形成された内延部が形成してあり、内延部の内周面の前端部には、内方へ向って突出するように被掛止部１０ｄを形成してある。また、クリップ本体１０ａは支持部１０ｅによってクリップ台１０ｃに支持されると共に、支持部１０ｅは尾冠１０ｂの外周面から連設して形成してあり、クリップ本体１０ａをクリップ台１０ｃと尾冠１０ｂの両方で支持することで、クリップ片１０ａの強度と耐久性を向上させてある。そして、クリップ台１０ｃは、後軸３の装着溝３ｄに挿入され、被掛止部１０ｄを後軸３の掛止部３ｅに掛止することで、クリップ１０を後軸３に固着してある。
【００２５】
クリップ本体１０ａの裏面１０ｆには内方（軸筒４の外周面側）へ向って突出する突起部１０ｇが形成してあり、突起部１０ｇは後軸３（軸筒４）の外周面３ｃに常に当接するように、クリップ本体１０ａを若干撓ませた状態で取り付けてある。
また、突起部１０ｇの両側面には、外方（図５または図６における左右の方向）に向って突出する係止部１０ｈが形成してあり、係止部１０ｈは後方へ向って突出量が大きくなるように傾斜した状態で形成し、これによりクリップ１０に装飾体１２を装着し易くしてある。
尚、具体的には、係止部の突出量は０．２から０．４ｍｍで形成してあり、係止部の軸心に沿った方向に対する傾斜角度は１５°で形成した。
【００２６】
装飾体１２は、図２、図５及び図６に示すように、後端に開口部１２ａを有し、前端が閉じた袋状の装着部１２ｂを形成してあり、装着部１２ｂの裏面１２ｂには、装着部１２ｂの後端から前方へ向って延びるスリット部１２ｄを形成してある。そして、スリット部１２ｄには、両側面から向かい合うように突出する一対の被係止部１２ｅを形成してあり、被係止部の内端面１２ｆには装飾体１２をクリップに装着する際にガイドとなるガイド部１２ｇが形成してある。また、装飾体１２の表面には円板状に形成した表示部１２ｈが形成してあり、表示部１２ｈの表面に文字や絵柄などの加飾を施すことで、外観の向上や筆記具１の識別力を向上することができる。
尚、図５に示すように、ガイド部１２ｇにおけるスリット幅は、クリップ本体１０ａに装飾体１２を装着する際にガイド部１２ｇに突起部１０ｇを挿入し易くするために、スリット部１２ｄの後端の最大幅部Ｌ１及び被係止部１２ｅの部分の最小幅部Ｌ２の両方が、クリップ本体１０ａの突起部１０ｇの幅Ｌ３よりも大きく形成することが好ましく、具体的には、Ｌ１を２．０ｍｍ、Ｌ２を１．０ｍｍで形成すると共に、Ｌ３を０．８ｍｍで形成してある。また、被係止部１２ｅに係止部１０ｈが係止した際の係止長さ（ラップ量）は、０．１から０．３ｍｍで形成してある。
【００２７】
ここで、図５及び図６を用いて、クリップ１０に装飾体１２を装着する状態を説明する。
図５に示すように、装飾体１２を、クリップ１０のクリップ本体１０ａの前端部が装着部１２ｂの開口部１２ａに入るように後方へ押し込むと、同時に、装飾体１２のスリット部１２ｄにクリップ１０の突起部１０ｇが挿入される。このとき、スリット部１２ｄの幅を後端から被係止部１２ｅに向って段階的に狭くなるよう構成しているため、スリット部１２ｄにより装飾体１２は、クリップ本体１０ａの突起部１０ｇに合わせて徐々に中心位置に誘導される。そして、スリット部１２ｄのスリット幅の最小幅部（図５のＬ２の位置）に突起部１０ｇが入ると装飾体１２の装着位置が完全に位置決めされ、その状態で、更に装飾体１２を後方へ押し込むと、スリット部１２ｄの最小幅部Ｌ２に形成された被係止部１２ｅが突起部１０ｇの係止部１０ｈを乗り越え、被係止部１２ｅと係止部１０ｈとが係止し、クリップ本体１０ａに対する装飾体１２の装着が完了する図６の状態となる。
尚、被係止部１２ｅが係止部１０ｈを乗り越える際、前述したように、被係止部１２ｅと係止部１０ｈとの係止時のラップ代を０．３ｍｍ以下となる０．１から０．３ｍｍで形成していることから、係止時の係止部１０ｈ及び被係止部１２ｅの変形を最小限に抑えると共に、係止部１０ｈの後端及び被係止部１２ｄの前端をクリップ本体１０ａの長手方向に対して直交する方向に延びるように形成しているため、係止後は係止部１０ｈと被係止部１２ｅとがしっかり係止され、クリップ本体１０ａに対して装飾体１２を前方へ引っ張っても簡単には外れないよう構成してある。
【００２８】
具体的には、被係止部１２ｅを係止部１０ｈに係止するのに必要となる押込力、及び、係止部から被係止部を引き抜くのに必要な引抜力をプッシュプルゲージを用いて計測したところ、押込力は３１Ｎであり、引抜力は３９Ｎであったことから、押込力より引抜力の方が大きくなり、クリップ本体１０ａに対する装飾体１２の装着は、装着し易く、且つ、外れ難いものとなった。
【００２９】
尚、本実施例では、図７に示すように、係止部１０ｈと被係止部１２ｅが係止した際、略同時にクリップ本体１０ａの表裏両面と、装飾体１２の装着部１２ａの内面部と、が周方向の複数箇所（本実施例では４箇所）について同時に当接するよう構成してある。このため、係止部１０ｈと被係止部１２ｅの係止によりクリップ本体１０ａの前後方向のガタツキを防止すると共に、クリップ本体１０ａの長手方向に対して直交する方向（図１における左右方向及び図２における左右方向）に対してもガタツキを防止することができた。
【産業上の利用可能性】
【００３０】
本発明の筆記具は、ボールペン、シャープぺンシル、万年筆、マーカー、修正具等、クリップを有している筆記具であれば特に限定されることなく広く実施可能である。
【符号の説明】
【００３１】
１…筆記具、
２…前軸、２ａ…雄螺子部、２ｂ…前端開口部、２ｃ…グリップ部、２ｄ…溝部、
３…後軸、３ａ…雌螺子部、３ｂ…摺動溝、３ｃ…外周面、３ｄ…装着溝、
３ｅ…掛止部、３ｆ…突起部、
４…軸筒、
５…筆記体、
６…インキ収容筒、
７…ボールペンチップ、
８…摺動体、８ａ…操作部、８ｂ…係止突起、
９…コイルスプリング、
１０…クリップ、１０ａ…クリップ本体、１０ｂ…尾冠、１０ｃ…クリップ台、
１０ｄ…被掛止部、１０ｅ…支持部、１０ｆ…裏面、１０ｇ…突起部、１０ｈ…係止部、
１１…スプリング支持部、１１ａ…基部、
１２…装飾体、１２ａ…開口部、１２ｂ…装着部、１２ｃ…裏面、１２ｄ…スリット部、
１２ｅ…被係止部、１２ｆ…内端面、１２ｇ…ガイド部、１２ｈ…表示部。
【図１】
2019147292.tif 000003
【図２】
2019147292.tif 000004
【図３】
2019147292.tif 000005
【図４】
2019147292.tif 000006
【図５】
2019147292.tif 000007
【図６】
2019147292.tif 000008
【図７】
2019147292.tif 000009